(57)【要約】【課題】１回の物件名称の入力により物件名に対応させて地点を登録する。【解決手段】５０音検索方式により入力した名称を保存し、該名称に応じた物件がデータべースに登録されていない場合、５０音検索方式以外の検索方式で目的地を検索して表示し、該目的地を地点登録する際、保存してある名称を地点名称として用いて地点登録する。【選択図】    図１
2004317464.tif 000002
【特許請求の範囲】
【請求項１】
ナビゲーション装置における地点登録方法において、
５０音検索方式により入力した名称を保存するステップ、
該名称に応じた物件がデータべースに登録されていない場合、５０音検索方式以外の検索方式で物件を検索して表示するステップ、
該物件の地点を登録する際、前記保存してある名称を地点名称として用いて地点登録するステップ、
を備えたことを特徴とする地点登録方法。
【発明の詳細な説明】
【０００１】
【発明の属する技術分野】
本発明は、ナビゲーション装置における地点登録方法に係わり、特に、地点名称を何回も入力する必要が無く、１回の名称入力により地点登録が可能な地点登録方法に関する。
【０００２】
【従来の技術】
ナビゲーション装置において、目的地を設定するには、
（１）ジャンルや住所による絞り込みと、地図スクロール操作で目的地を含む地図を表示し、該目的地をカーソルで指示する方法、
（２）電話番号で入力する方法、
（３）５０音検索方法、
（４）ジャンル別、住所別に対象物件を狭め、候補を表示して選択させる方法、
（５）地点登録してある所望の地点を選択する方法、
等がある。このうち、５０音検索方法は、目的地である物件（訪問先宅、施設など）の名称を５０音で入力すると、５０音データべースより入力された名称の物件の経緯度情報を求め、該物件を画面中心位置にカーソルを重ねて表示し、目的地として設定する方法である。
また、ナビゲーション装置には、目的地にした地点を将来検索しやすいように地点登録メモリに登録する地点登録機能がある。地点登録しておけば、目的地設定の際、上記（５）の方法で目的地を簡単に設定することができる。
【０００３】
ところで、「５０音検索」で入力した名称の物件がデータべースに登録されていない場合がある。かかる場合、第１の従来技術では、ジャンルや住所による絞り込みと、地図スクロール操作で前記物件を含む地図を画面に表示し、該物件をカーソル（十字カーソル）で指示して目的地設定をする。そして、この物件（目的地）を地点登録するには物件名称を再度入力して地点登録を指示することにより行う。
【０００４】
図５はかかる従来技術の説明図である。目的地入力法として「５０音検索」を選択すると、画面にキーボードＫＢが表示されるから、該キーボードを用いて目的地となる物件の名称を入力する（テキスト入力、図５（Ａ））。しかし、「５０音検索」で入力した物件名がデータべースに登録されていない場合がある。たとえば、入力された物件（施設）が「製造されて間もない場合」や、「愛称で呼ばれており愛称でしか物件名が判らない場合」などである。かかる場合、ジャンルや住所による絞り込みと、地図スクロール操作で物件を含む地図を画面に表示し、該物件をカーソル（十字カーソル）ＣＳＲの十字交点で指示して目的地設定をする（図５（Ｂ））。このとき、目的地（物件）を地点登録するには、キーボードＫＢを画面に表示し、物件名称を再度入力して地点登録を指示することにより行う（図５（Ｃ））。
又、第２従来技術（特許文献１）では、地点名の指示入力があれば該指示された地点名に対応させて位置登録し、地点名の指示入力がなければ「日時」を地点名として位置登録する。
【特許文献１】特開平５−３１３５７３号公報（特許請求の範囲、図２）
【０００５】
【発明が解決しようとする課題】
第１の従来技術では、物件名称を２回入力しなければならず、地点登録操作が面倒となる問題がある。
第２の従来技術では、「日時」を地点名称とするため、将来、この日時がどこの地点であるか失念し、結果的にこの地点登録情報を使えなくなり、地点登録の意味が無くなる可能性が高い問題がある。
以上から本発明の目的は、１回の物件名称の入力により、物件名に対応させて地点を登録できるようにすることである。
【０００６】
【課題を解決するための手段】
本発明の地点登録方法は、５０音検索方式により入力した名称を保存するステップ、該名称に応じた物件がデータべースに登録されていない場合、５０音検索方式以外の検索方式で物件を検索して表示するステップ、該物件の地点を登録する際、前記保存してある名称を地点名称として用いて地点登録するステップ、を備えている。
この地点登録方法によれば、５０音検索方式により入力した名称を保存し、地点登録に際してこの保存名称を用いるようにしたから、１回の物件名称の入力により、物件名に対応させて確実に地点を登録することができる。
【０００７】
【発明の実施の形態】
（Ａ）本発明の概略
本発明では、図１（Ａ）に示すように、▲１▼画面に表示されたキーボードＫＢを用いて「５０音検索」に際して入力した”テキスト情報（物件名称）”を記憶しておき、▲２▼「５０音検索」では目的地設定までたどりつけなかった場合、続けて地図スクロールなどの他の手段により目的地設定し、▲３▼しかる後、地点登録が選択された場合、最初に入力した”テキスト情報（物件名称）”の名称で地点登録するか設問し、ＹＥＳであればその名称で地点登録を行う。
【０００８】
図１（Ａ）では、地点登録するタイミングは、地図スクロールなどで目的地を設定後、「地点登録」機能を選択したタイミングであるが、図１（Ｂ）に示すように、実際の経路誘導により自動車が目的地に到着したタイミングで地点登録することもできる。すなわち、▲１▼目的地に到着した際、▲２▼保存してある”テキスト情報（物件名称）”で地点登録するか設問し、ＹＥＳであればその名称で地点登録を行う
【０００９】
（Ｂ）ナビゲーション装置
図２は本発明のナビゲーション装置の構成図である。
地図データべース１１は、ＣＤ−ＲＯＭ、ＤＶＤ、ハードディスクなどの記憶媒体とこれら記憶媒体からの読み取り書き込みを行う読み書き装置で構成され、記憶媒体には地図情報が記録されている。地図情報は、（１）  道路レイヤ、（２）  地図上のオブジェクトを表示するための背景レイヤ、（３）  市町村名など文字を表示するための文字レイヤ、（４）各種データべースなどから構成されている。データべースとしては、物件名称（施設等の名称）とその経緯度、住所、その他の情報を記憶する５０音データべース、住所データべース、ジャンル別データべース等がある。
【００１０】
車両位置検出部１２は、車両の現在位置ＰＶを測定するもので、移動距離を検出する車速センサー、移動方位を検出するジャイロ、位置計算用ＣＰＵ、ＧＰＳ受信機等で構成されている。地図データ取得部１３は、車両位置ＰＶ、カーソル位置ＰＣに応じた地図情報を地図データべース１１から読み出し、▲１▼道路レイヤ情報を図示しないマップマッチング部や誘導経路探索部２１に入力すると共に、▲２▼背景レイヤ情報や文字レイヤ情報を地図発生部１４に入力し、▲３▼データべース情報を５０音検索／地点登録制御部１５に入力する。
【００１１】
地図発生部１４は、入力された地図情報よりドットイメージの画像を発生して内蔵のＶＲＡＭに格納し、所定サイズの画像を車両現在位置に応じたＶＲＡＭ内の位置から切り取って表示部１６に入力して地図を表示する。
５０音検索／地点登録制御部１５は、図３に示すように後述する５０音検索／地点登録処理を実行する制御部５１と、地図データ取得部１３から入力される５０音データべース情報や住所データべース情報を記憶する５０音データべースメモリ５２、住所データべースメモリ５３、地点登録情報を記憶する地点登録メモリ５４、「５０音検索」に際して入力された物件名を保存する物件名保存部５５を有している。５０音データべースメモリ５２は、「５０音検索」に際して使用され、住所データべースメモリ５３は探索範囲を狭める際に使用され、地点登録メモリ５４は地点登録された情報を保存すると共に登録地点の探索に際して使用される。
【００１２】
カーソル位置保持部１７は、目的地設定時や地点登録時に地図上に表示されるカーソル位置を５０音検索／地点登録制御部１５より取得すると共に、手動による地図スクロール操作でカーソル位置ＰＣを更新する。そして、カーソル位置保持部１７は、カーソル位置ＰＣを地図データ取得部１３や５０音検索／地点登録制御部１５に入力する。
車両位置マーク／カーソル発生部１８は表示部１６の所定位置に車両位置マークやカーソルを適宜を発生して表示する。
目的地決定部１９は、５０音検索／地点登録制御部１５により設定された位置データ（経緯度）を入力され、入力部２０の設定操作により該位置（経緯度）を目的地として決定して誘導経路探索部２１に入力する。なお、目的地は電話番号入力法など別の方法でも決定することができるが図示は省略する。
【００１３】
誘導経路探索部２１は、車両現在位置を出発地とし、該出発地から目的地決定部１９で決定された目的地までの経路を探索して誘導経路画像発生部２２に入力し、誘導経路画像発生部２２は誘導経路画像を発生して表示部１６に表示する。メニュー・キーボード画像発生部２５は、入力部１８の操作にしたがって各種メニューやキーボード画像を発生して表示部１６に表示する。
【００１４】
（Ｃ）５０音検索／地点登録処理
図４は本発明の５０音検索／地点登録処理フローである。
入力部２０を操作して目的地を５０音検索して入力するモード（５０音検索入力モード）にする（ステップ１０１）。これにより、メニュー・キーボード画像発生部２３はキーボードＫＢを表示部１６に表示する（ステップ１０２）。ユーザはキーボードを用いて目的地を示す物件（施設など）の名称を入力する（テキスト入力、ステップ１０３）。５０音検索／地点登録制御部１５の制御部５１は入力された物件名を物件名保存部５５に保存する（ステップ１０４）。
【００１５】
ついで、制御部５１は入力された物件名が５０音データべースに登録されているかチェックし（ステップ１０５）、登録されている場合には、該物件名で指示された物件の経緯度情報を求めて地図データ取得部１３に入力する。地図データ取得部１３は該経緯度位置を含む詳細地図情報を地図データべース１１から読み取って地図発生部１４に入力して詳細地図を表示する。又、詳細地図の該当物件上にカーソルを表示する（ステップ１０６）。
一方、ステップ１０５において、入力された物件名が５０音データべースに登録されていなければ、ジャンルや住所による絞り込みと、手動による地図スクロール操作で、該物件名の物件を含む地図を画面に表示し、該物件をカーソルＣＳＲで指示する（ステップ１０７）。
【００１６】
ついで、地点登録するか判断し（ステップ１０８）、地点登録する場合には、地点登録を入力する。これにより、制御部５１はステップ１０４に保存してある物件名をメニュー・キーボード画像発生部２３に入力し、メニュー・キーボード画像発生部２３は、図１（Ａ）に示すように入力された物件名で登録するか設問する。制御部５１は「はい」が入力されれば、カーソル位置保持部１７から取得したカーソル位置Ｐｃ（経緯度）を前記物件名に対応させて地点登録メモリ５４登録する（ステップ１０９）。なお、「いいえ」が入力された場合には、カーソル位置周辺の地名を地点名として地点登録する。また、図１（Ｂ）の場合には、目的地に到着してからステップ１０８〜１０９の処理を行う。
【００１７】
ついで、ユーザはカーソル指示地点を目的地とするか判断し（ステップ１１０）、目的地とする場合には、目的地決定部１９は５０音検索／地点登録制御部１５より取得したカーソル指示地点を目的地として誘導経路探索部２１に入力する。これにより、誘導経路探索部２１は目的地までの誘導経路を探索して表示する（ステップ１１１）。
【００１８】
【発明の効果】
以上本発明によれば、５０音検索方式により入力した名称を保存し、地点登録に際してこの保存名称を用いるようにしたから、１回の物件名称の入力により、物件名に対応させて確実に地点を登録することができる。
【図面の簡単な説明】
【図１】本発明の原理説明図である。
【図２】本発明のナビゲーション装置の構成図である。
【図３】５０音検索／地点登録制御部の構成図である。
【図４】本発明の５０音検索／地点登録処理フローである。
【図５】従来技術の説明図である。
【符号の説明】
１３  地図データ取得部
１５  ５０音検索／地点登録制御部
１７  カーソル位置保持部
１９  目的地決定部
２０  入力部
２３メニュー・キーボード画像発生部
【図１】
2004317464.tif 000003
【図２】
2004317464.tif 000004
【図３】
2004317464.tif 000005
【図４】
2004317464.tif 000006
【図５】
2004317464.tif 000007